(57)【要約】【課題】文字集合が異なる装置間の連携を図る。【解決手段】医用情報処理装置では、モダリティにおける検査を依頼するためのモダリティワークリストをＲＩＳから取得する（ステップＳ３）。次に、モダリティワークリストの特定文字集合に応じて、モダリティワークリストから第１の文字情報（患者名、患者コメント、検査記述等）を抽出し、記憶部に一時的に記憶させておく（ステップＳ４）。次に、モダリティワークリストからモダリティが対応不可能な文字集合で記述された第２の文字情報を削除し（ステップＳ５）、モダリティに送信する（ステップＳ７）。そして、モダリティから受信したＤＩＣＯＭ画像ファイルのヘッダ情報に、記憶部に記憶されている第１の文字情報を書き込み（ステップＳ１０）、第１の文字情報が書き込まれたＤＩＣＯＭ画像ファイルを画像サーバに送信する（ステップＳ１１）。【選択図】図４
2012185683.tif 000002
【特許請求の範囲】
【請求項１】
モダリティにおける検査を依頼するための検査依頼情報を取得する取得手段と、
前記取得された検査依頼情報から、当該検査依頼情報の文字集合に応じて予め定められた第１の文字情報を抽出し、当該抽出された第１の文字情報を記憶手段に記憶させる記憶制御手段と、
前記取得された検査依頼情報から、前記モダリティが対応不可能な文字集合で記述された第２の文字情報を削除する削除手段と、
前記第２の文字情報が削除された検査依頼情報を前記モダリティに送信する送信手段と、
前記モダリティにおいて前記第２の文字情報が削除された検査依頼情報に基づく検査により得られた医用画像ファイルを前記モダリティから受信する受信手段と、
前記受信された医用画像ファイルのヘッダ情報に、前記記憶手段に記憶されている第１の文字情報を書き込む書き込み手段と、
を備え、
前記第１の文字情報は、少なくとも前記第２の文字情報の一部を含む医用情報処理装置。
【請求項２】
前記第１の文字情報は、英数字以外の文字情報を含む、
請求項１に記載の医用情報処理装置。
【請求項３】
前記第１の文字情報は、患者名、患者コメント、検査記述、検査コメント又は医師名を含む、
請求項１又は２に記載の医用情報処理装置。
【請求項４】
モダリティにおける検査を依頼するための検査依頼情報を取得する取得工程と、
前記取得された検査依頼情報から、当該検査依頼情報の文字集合に応じて予め定められた第１の文字情報を抽出し、当該抽出された第１の文字情報を記憶手段に記憶させる記憶制御工程と、
前記取得された検査依頼情報から、前記モダリティが対応不可能な文字集合で記述された第２の文字情報を削除する削除工程と、
前記第２の文字情報が削除された検査依頼情報を前記モダリティに送信する送信工程と、
前記モダリティにおいて前記第２の文字情報が削除された検査依頼情報に基づく検査により得られた医用画像ファイルを前記モダリティから受信する受信工程と、
前記受信された医用画像ファイルのヘッダ情報に、前記記憶手段に記憶されている第１の文字情報を書き込む書き込み工程と、
を含み、
前記第１の文字情報は、少なくとも前記第２の文字情報の一部を含む医用情報処理方法。
【請求項５】
コンピュータを、
モダリティにおける検査を依頼するための検査依頼情報を取得する取得手段、
前記取得された検査依頼情報から、当該検査依頼情報の文字集合に応じて予め定められた第１の文字情報を抽出し、当該抽出された第１の文字情報を記憶手段に記憶させる記憶制御手段、
前記取得された検査依頼情報から、前記モダリティが対応不可能な文字集合で記述された第２の文字情報を削除する削除手段、
前記第２の文字情報が削除された検査依頼情報を前記モダリティに送信する送信手段、
前記モダリティにおいて前記第２の文字情報が削除された検査依頼情報に基づく検査により得られた医用画像ファイルを前記モダリティから受信する受信手段、
前記受信された医用画像ファイルのヘッダ情報に、前記記憶手段に記憶されている第１の文字情報を書き込む書き込み手段、
として機能させるためのプログラムであって、
前記第１の文字情報は、少なくとも前記第２の文字情報の一部を含むプログラム。
【発明の詳細な説明】
【技術分野】
【０００１】
本発明は、医用情報処理装置、医用情報処理方法及びプログラムに関する。
【背景技術】
【０００２】
一般に、病院に設置されたモダリティ（画像撮影装置）では、診察医の指示による検査依頼情報に基づいて、患者の撮影が行われている。病院内においては、複数の検査依頼情報に基づき、複数の装置を用いて検査が行われるため、複数の装置に対する医用画像作成業務におけるワークフローを統一的に管理する医用画像作成業務管理方法が提案されている（特許文献１参照）。この方法によれば、ワークリストを簡単に作成することができ、複数の装置からの要求に応じてワークリストを送信することができる。
【０００３】
近年、医療施設内の各装置のマルチベンダ化が進んでおり、装置毎に使用可能な文字の範囲（文字集合）が定められている。文字集合とは、国際標準や工業規格で定められている、文字の集まりである。文字集合の種類として、ＩＳＯ＿ＩＲ  １００（ラテン１（西ヨーロッパ））、ＩＳＯ＿ＩＲ  １０１（ラテン２（東ヨーロッパ））、ＩＳＯ  ２０２２  ＩＲ  ８７（ひらがな、カタカナ、第一水準漢字、第二水準漢字）、ＧＢ１８０３０（簡体字中国語他）、ＩＳＯ＿ＩＲ  １９２（繁体字中国語他）等が挙げられる。
【０００４】
例えば、「電子カルテ」から「ＲＩＳ（Radiological Information System：放射線情報システム）」に検査依頼がなされ、「ＲＩＳ」から「モダリティ」に撮影条件を含む検査依頼情報が送信され、「モダリティ」において生成された検査画像を「画像サーバ」に登録し、「画像サーバ」に登録された検査画像を「参照端末」から読影するシステムでは、システム内の各装置が対応可能な文字集合が統一されている場合（全ての装置が中国語に対応している場合等）には、問題なく情報のやり取りを行うことができる。
【先行技術文献】
【特許文献】
【０００５】
【特許文献１】特開２００５−７０８１７号公報
【発明の概要】
【発明が解決しようとする課題】
【０００６】
しかしながら、モダリティの多くは欧米製であり、台湾・韓国等のアジアの各国では、輸入に頼っている。欧州や米国の扱う文字集合に比べ、アジアの文字は各国で異なり、また、文字数も多い。そのため、欧米製のモダリティに対する多言語対応の要求は高いが、充分に対応できていないのが現状である。
【０００７】
従来は、モダリティと、それに接続され得る装置の文字集合を合わせる必要があるため、画像サーバやビューアが欧米製のモダリティに合わせ、患者名等の各種文字情報を英数字（ＡＳＣＩＩ）に制限することで、医用画像の保存や読影を行っていた。
【０００８】
例えば、上記のシステムにおいて、「電子カルテ」、「ＲＩＳ」、「画像サーバ」及び「参照端末」は中国語に対応しているが、「モダリティ」は英語のみに対応している場合、「モダリティ」で生成された検査画像を保存する「画像サーバ」においても、英語に限定した情報のみとなり、その結果、「参照端末」から参照できる情報も英語のみとなっていた。このように、システム内の各装置が対応可能な文字集合が統一されていない場合には、使用可能な文字が少ない文字集合の装置を通過した段階で、より前段の装置において使用可能であった情報が失われてしまうという問題があった。
このように、文字集合が異なる装置間では、一方の装置が有する全ての情報を他方の装置に伝えることができず、情報の連携を図ることが困難であった。
【０００９】
本発明は上記の従来技術における問題に鑑みてなされたものであって、文字集合が異なる装置間の連携を図ることを課題とする。
【課題を解決するための手段】
【００１０】
上記課題を解決するために、請求項１に記載の発明は、モダリティにおける検査を依頼するための検査依頼情報を取得する取得手段と、前記取得された検査依頼情報から、当該検査依頼情報の文字集合に応じて予め定められた第１の文字情報を抽出し、当該抽出された第１の文字情報を記憶手段に記憶させる記憶制御手段と、前記取得された検査依頼情報から、前記モダリティが対応不可能な文字集合で記述された第２の文字情報を削除する削除手段と、前記第２の文字情報が削除された検査依頼情報を前記モダリティに送信する送信手段と、前記モダリティにおいて前記第２の文字情報が削除された検査依頼情報に基づく検査により得られた医用画像ファイルを前記モダリティから受信する受信手段と、前記受信された医用画像ファイルのヘッダ情報に、前記記憶手段に記憶されている第１の文字情報を書き込む書き込み手段と、を備え、前記第１の文字情報は、少なくとも前記第２の文字情報の一部を含む医用情報処理装置である。
【００１１】
請求項２に記載の発明は、請求項１に記載の医用情報処理装置において、前記第１の文字情報は、英数字以外の文字情報を含む。
【００１２】
請求項３に記載の発明は、請求項１又は２に記載の医用情報処理装置において、前記第１の文字情報は、患者名、患者コメント、検査記述、検査コメント又は医師名を含む。
【００１３】
請求項４に記載の発明は、モダリティにおける検査を依頼するための検査依頼情報を取得する取得工程と、前記取得された検査依頼情報から、当該検査依頼情報の文字集合に応じて予め定められた第１の文字情報を抽出し、当該抽出された第１の文字情報を記憶手段に記憶させる記憶制御工程と、前記取得された検査依頼情報から、前記モダリティが対応不可能な文字集合で記述された第２の文字情報を削除する削除工程と、前記第２の文字情報が削除された検査依頼情報を前記モダリティに送信する送信工程と、前記モダリティにおいて前記第２の文字情報が削除された検査依頼情報に基づく検査により得られた医用画像ファイルを前記モダリティから受信する受信工程と、前記受信された医用画像ファイルのヘッダ情報に、前記記憶手段に記憶されている第１の文字情報を書き込む書き込み工程と、を含み、前記第１の文字情報は、少なくとも前記第２の文字情報の一部を含む医用情報処理方法である。
【００１４】
請求項５に記載の発明は、コンピュータを、モダリティにおける検査を依頼するための検査依頼情報を取得する取得手段、前記取得された検査依頼情報から、当該検査依頼情報の文字集合に応じて予め定められた第１の文字情報を抽出し、当該抽出された第１の文字情報を記憶手段に記憶させる記憶制御手段、前記取得された検査依頼情報から、前記モダリティが対応不可能な文字集合で記述された第２の文字情報を削除する削除手段、前記第２の文字情報が削除された検査依頼情報を前記モダリティに送信する送信手段、前記モダリティにおいて前記第２の文字情報が削除された検査依頼情報に基づく検査により得られた医用画像ファイルを前記モダリティから受信する受信手段、前記受信された医用画像ファイルのヘッダ情報に、前記記憶手段に記憶されている第１の文字情報を書き込む書き込み手段、として機能させるためのプログラムであって、前記第１の文字情報は、少なくとも前記第２の文字情報の一部を含むプログラムである。
【発明の効果】
【００１５】
本発明によれば、文字集合が異なる装置間の連携を図ることができる。
【図面の簡単な説明】
【００１６】
【図１】医用画像システムのシステム構成図である。
【図２】医用情報処理装置の機能的構成を示すブロック図である。
【図３】ＤＩＣＯＭ画像ファイルの構成を示す図である。
【図４】ＲＩＳ、医用情報処理装置、モダリティ及び画像サーバにおいて実行される処理を示すラダーチャートである。
【図５】医用情報処理装置において実行される処理を示すフローチャートである。
【図６】ＲＩＳから取得されたモダリティワークリストの例である。
【図７】ＤＩＣＯＭタグ（０００８，０００５）に記述される内容と、その意味する特定文字集合との対応関係を示す図である。
【図８】編集後のモダリティワークリストの例である。
【発明を実施するための形態】
【００１７】
［医用画像システムのシステム構成］
以下、図面を参照して、本発明の実施の形態について説明する。
図１に、医用画像システム１００のシステム構成を示す。図１に示すように、医用画像システム１００は、電子カルテシステム１０と、ＲＩＳ（放射線情報システム）２０と、医用情報処理装置３０と、モダリティ４０Ａ，４０Ｂ，４０Ｃと、画像サーバ５０と、参照端末６０と、図示しないその他の装置とから構成されており、各装置は通信ネットワークＮを介してデータ通信可能に接続されている。
【００１８】
なお、医用画像システム１００では、電子カルテシステム１０、ＲＩＳ２０、医用情報処理装置３０、画像サーバ５０及び参照端末６０については、対応可能な文字集合が一致しているが、モダリティ４０Ａ，４０Ｂ，４０Ｃについては、他の装置と対応可能な文字集合が異なっている。
【００１９】
電子カルテシステム１０は、診療録データ（患者の病状や診断結果等の情報）や処方データ等を記憶し、管理する。電子カルテシステム１０は、ＣＰＵ（Central Processing Unit）及びＲＡＭ（Random Access Memory）等により構成される制御部、ハードディスク等の記憶部、外部機器とのデータ通信を行う通信部等を備える。電子カルテシステム１０は、ＲＩＳ２０に対して、画像検査依頼を送信する。
【００２０】
ＲＩＳ２０は、放射線科部門内における診療予約、診断結果のレポート、実績管理、材料在庫管理等の情報管理を行う。ＲＩＳ２０は、ＣＰＵ及びＲＡＭ等により構成される制御部、ハードディスク等の記憶部、外部機器とのデータ通信を行う通信部等を備える。ＲＩＳ２０は、電子カルテシステム１０から受信した画像検査依頼に基づいて、モダリティ４０Ａ，４０Ｂ，４０Ｃにおける検査を依頼するための検査依頼情報を作成する。本実施の形態では、検査依頼情報として、ＤＩＣＯＭ（Digital Imaging and Communications in Medicine）規格に準拠したモダリティワークリスト（Modality WorkList：ＭＷＬ）を作成する場合について説明する。ＲＩＳ２０は、モダリティワークリストを医用情報処理装置３０に送信する。
【００２１】
モダリティワークリストには、特定文字集合、ＡＥ（Application Entity）タイトル、モダリティ種、撮影条件情報（部位、方向、左右、管電圧、管電流、機材等）、検査情報（検査インスタンスＵＩＤ、検査日付、検査記述、検査コメント、実施医師名、受付番号等）、患者情報（患者ＩＤ、患者名、生年月日、性別、患者コメント等）等が含まれる。
【００２２】
医用情報処理装置３０は、ＲＩＳ２０から取得したモダリティワークリストを編集し、編集後のモダリティワークリストを、検査が行われるモダリティ４０Ａ，４０Ｂ，４０Ｃに送信する。
【００２３】
図２に、医用情報処理装置３０の機能的構成を示す。図２に示すように、医用情報処理装置３０は、制御部３１、操作部３２、表示部３３、通信部３４、ＲＯＭ（Read Only Memory）３５、記憶部３６を備えて構成され、各部はバス３７により接続されている。
【００２４】
制御部３１は、ＣＰＵ、ＲＡＭ等から構成され、医用情報処理装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００２５】
操作部３２は、カーソルキー、文字入力キー、及び各種機能キー等を備えたキーボードと、マウス等のポインティングデバイスを備えて構成され、キーボードに対するキー操作やマウス操作により入力された操作信号を制御部３１に出力する。
【００２６】
表示部３３は、ＬＣＤ（Liquid Crystal Display）により構成され、制御部３１から入力される表示データに基づいて各種画面を表示する。
【００２７】
通信部３４は、ＬＡＮ（Local Area Network）アダプタ、ルータ、ＴＡ（Terminal Adapter）等を備え、通信ネットワークＮを介して接続されたＲＩＳ２０、モダリティ４０Ａ，４０Ｂ，４０Ｃ、画像サーバ５０等の外部機器との間でデータの送受信を行う。
【００２８】
ＲＯＭ３５は、不揮発性の半導体メモリ等により構成され、各種処理プログラム、当該プログラムの実行に必要なパラメータやファイル等を記憶している。ＲＯＭ３５には、医用情報処理プログラム３５１が記憶されている。
【００２９】
記憶部３６は、半導体メモリやハードディスク等から構成される記憶装置である。記憶部３６には、ＲＩＳ２０から取得したモダリティワークリスト、モダリティ４０Ａ，４０Ｂ，４０Ｃにおいて生成された医用画像ファイルとしてのＤＩＣＯＭ画像ファイル等が記憶される。図３に示すように、ＤＩＣＯＭ画像ファイルは、医用画像の画像データ（以下、医用画像データという。）にヘッダ情報が付帯されている。
【００３０】
また、記憶部３６には、第１参照テーブル３６１、第２参照テーブル３６２が記憶されている。
第１参照テーブル３６１には、モダリティワークリストの文字集合と、モダリティワークリストの文字集合に応じて予め定められた抽出項目と、が対応付けられている。抽出項目は、モダリティワークリストに含まれる文字情報のうち、医用情報処理装置３０内に一時的に記憶させておくための文字情報を示す項目である。抽出項目として、患者名、患者コメント、検査記述、検査コメント、医師名等が挙げられる。
【００３１】
第２参照テーブル３６２には、医用画像システム１００内のモダリティ４０Ａ，４０Ｂ，４０ＣのＡＥタイトルと、当該モダリティ４０Ａ，４０Ｂ，４０Ｃが対応可能な文字集合と、が対応付けられている。
【００３２】
制御部３１は、通信部３４を介してＲＩＳ２０からモダリティワークリストを取得する。
【００３３】
制御部３１は、取得されたモダリティワークリストから、モダリティワークリストの特定文字集合（モダリティワークリストがいずれの文字集合で記述されているかを示す情報）を取得する。制御部３１は、記憶部３６に記憶されている第１参照テーブル３６１を参照し、取得された特定文字集合に対応する抽出項目を読み出す。制御部３１は、この抽出項目に従って、モダリティワークリストから第１の文字情報を抽出し、当該抽出された第１の文字情報をモダリティワークリストに含まれる患者ＩＤ及び検査インスタンスＵＩＤと対応付けて記憶部３６に記憶させる。第１の文字情報には、モダリティワークリストに含まれる文字情報のうち、少なくとも、送信先のモダリティ４０Ａ，４０Ｂ，４０Ｃが対応不可能な文字集合で記述された文字情報（後述する第２の文字情報）の一部が含まれる。また、第１の文字情報には、英数字以外の文字情報（日本語、中国語、韓国語等）が含まれる。また、第１の文字情報には、患者名、患者コメント、検査記述、検査コメント、医師名等が含まれる。
【００３４】
制御部３１は、取得されたモダリティワークリストからＡＥタイトルを取得する。制御部３１は、記憶部３６に記憶されている第２参照テーブル３６２を参照し、抽出されたＡＥタイトルに対応する文字集合（ＡＥタイトルにより特定されるモダリティ４０Ａ，４０Ｂ，４０Ｃが対応可能な文字集合）を読み出す。制御部３１は、このモダリティ４０Ａ，４０Ｂ，４０Ｃが対応可能な文字集合に基づいて、モダリティワークリストからモダリティ４０Ａ，４０Ｂ，４０Ｃが対応不可能な文字集合で記述された第２の文字情報を削除し、第２の文字情報が削除されたモダリティワークリスト（編集後のモダリティワークリスト）を記憶部３６に記憶させる。
【００３５】
制御部３１は、通信部３４を介してモダリティ４０Ａ，４０Ｂ，４０Ｃからモダリティワークリストの取得要求（ＤＩＣＯＭ規格に則ったＣ−ＦＩＮＤ要求）を受信すると、取得要求に含まれるＡＥタイトルに基づいて、当該ＡＥタイトルに対応する編集後のモダリティワークリストを記憶部３６から読み出す。そして、制御部３１は、読み出された編集後のモダリティワークリストを、通信部３４を介してモダリティ４０Ａ，４０Ｂ，４０Ｃのうち、ＡＥタイトルに対応するモダリティに送信する。
【００３６】
制御部３１は、第２の文字情報が削除されたモダリティワークリストに基づく検査により得られた医用画像ファイル（ＤＩＣＯＭ画像ファイル）を、通信部３４を介してモダリティ４０Ａ，４０Ｂ，４０Ｃのうち、いずれかのモダリティから受信する。
制御部３１は、受信されたＤＩＣＯＭ画像ファイルのヘッダ情報に、記憶部３６に記憶されている第１の文字情報を書き込む。具体的には、制御部３１は、受信されたＤＩＣＯＭ画像ファイルのヘッダ情報から患者ＩＤ及び検査インスタンスＵＩＤを取得し、取得された患者ＩＤ及び検査インスタンスＵＩＤに対応する第１の文字情報を記憶部３６から読み出し、ＤＩＣＯＭ画像ファイルのヘッダ情報に第１の文字情報を書き込む。
制御部３１は、ヘッダ情報に第１の文字情報が書き込まれたＤＩＣＯＭ画像ファイルを、通信部３４を介して画像サーバ５０に送信する。
【００３７】
モダリティ４０Ａ，４０Ｂ，４０Ｃは、患者を撮影する画像撮影装置である。モダリティ４０Ａ，４０Ｂ，４０Ｃとしては、ＣＲ（Computed Radiography）装置、ＣＴ（Computed Tomography）装置、ＭＲＩ（Magnetic Resonance Imaging）装置等が用いられる。
【００３８】
モダリティ４０Ａ，４０Ｂ，４０Ｃは、モダリティ４０Ａ，４０Ｂ，４０ＣのＡＥタイトルに基づいて、モダリティ４０Ａ，４０Ｂ，４０Ｃにおいて行われる検査についてのモダリティワークリストの取得要求（ＤＩＣＯＭ規格に則ったＣ−ＦＩＮＤ要求）を医用情報処理装置３０に送信する。そして、モダリティ４０Ａ，４０Ｂ，４０Ｃは、医用情報処理装置３０から編集後のモダリティワークリスト（第２の文字情報が削除されたモダリティワークリスト）を取得する。
【００３９】
モダリティ４０Ａ，４０Ｂ，４０Ｃは、取得されたモダリティワークリストに基づいて、患者の診断対象部位を被写体として撮影を行い、医用画像データを生成する。そして、モダリティ４０Ａ，４０Ｂ，４０Ｃは、取得されたモダリティワークリストに基づいて、医用画像データにＤＩＣＯＭ規格に則ってヘッダ情報を付帯させ、ＤＩＣＯＭ画像ファイルを生成し、医用情報処理装置３０に送信する。
【００４０】
ヘッダ情報は、患者情報、検査情報、シリーズ情報及び画像情報を含む。患者情報は、患者ＩＤ、患者名、性別、生年月日、年齢、身長、体重等の患者に関する情報である。検査情報は、検査を識別する検査インスタンスＵＩＤ、検査日、検査時刻、受付番号、担当医師名等の検査に関する情報である。シリーズ情報は、シリーズを識別するシリーズインスタンスＵＩＤ、モダリティ名（検査種）、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。
【００４１】
画像サーバ５０は、ＰＡＣＳ（Picture Archiving and Communication System）により構成され、医用情報処理装置３０から送信されるＤＩＣＯＭ画像ファイル等を記憶し、管理する。画像サーバ５０は、外部機器からＤＩＣＯＭ画像ファイルの取得要求を受信した場合、当該取得要求に応じたＤＩＣＯＭ画像ファイルを当該外部機器に送信する。
【００４２】
参照端末６０は、ＣＰＵ及びＲＡＭ等により構成される制御部、ハードディスク等の記憶部、表示部、外部機器とのデータ通信を行う通信部等を備えるＰＣ（Personal Computer）である。参照端末６０は、画像サーバ５０にＤＩＣＯＭ画像ファイルの取得要求を送信し、当該取得要求に応じたＤＩＣＯＭ画像ファイルを取得する。そして、参照端末６０は、取得されたＤＩＣＯＭ画像ファイルに含まれる医用画像データに基づいて表示部に医用画像を表示するともに、ＤＩＣＯＭ画像ファイルに含まれるヘッダ情報に基づいて表示部に文字情報を表示する。
【００４３】
［医用画像システムの動作］
次に、医用画像システム１００の各装置における動作について説明する。なお、モダリティ４０Ａ，４０Ｂ，４０Ｃのうち、検査依頼の対象となるモダリティを、以下、モダリティ４０という。
図４は、ＲＩＳ２０、医用情報処理装置３０、モダリティ４０及び画像サーバ５０において実行される処理を示すラダーチャートである。
【００４４】
まず、ＲＩＳ２０では、ユーザの操作により、患者リストの中から検査対象患者が選択され、画像検査が依頼されると（ステップＳ１）、患者情報、撮影条件情報等を含むモダリティワークリストが作成される（ステップＳ２）。作成されたモダリティワークリストは、ＲＩＳ２０から医用情報処理装置３０に送信される。
【００４５】
医用情報処理装置３０では、制御部３１により、通信部３４を介してＲＩＳ２０からモダリティワークリストが取得される（ステップＳ３）。
【００４６】
次に、制御部３１により、モダリティワークリストの特定文字集合に応じて、モダリティワークリストから予め定められた第１の文字情報（患者名、患者コメント、検査記述等）が抽出され、当該抽出された第１の文字情報が記憶部３６に一時的に記憶される（ステップＳ４）。例えば、制御部３１により、モダリティワークリストから英数字（ＡＳＣＩＩ）以外の文字情報が記憶部３６に一時的に記憶される。
【００４７】
次に、制御部３１により、モダリティ４０が対応可能な文字集合に応じて、モダリティワークリストからモダリティ４０が対応不可能な文字集合で記述された第２の文字情報が削除される（ステップＳ５）。
【００４８】
モダリティ４０では、モダリティ４０のＡＥタイトルに基づいて、モダリティ４０において行われる検査についてのモダリティワークリストの取得要求が医用情報処理装置３０に送信される（ステップＳ６）。
【００４９】
医用情報処理装置３０では、通信部３４を介してモダリティ４０からモダリティワークリストの取得要求が受信されると、制御部３１により、この取得要求に含まれるＡＥタイトルに対応する編集後のモダリティワークリストが記憶部３６から読み出され、モダリティ４０に送信される（ステップＳ７）。
【００５０】
モダリティ４０では、取得された編集後のモダリティワークリストに基づいて、患者の診断対象部位を被写体として撮影が実施される（ステップＳ８）。具体的には、モダリティ４０では、医用画像データが生成され、モダリティワークリストに含まれる文字情報が医用画像データにヘッダ情報として付帯され、ＤＩＣＯＭ画像ファイルが生成される。そして、生成されたＤＩＣＯＭ画像ファイルは、モダリティ４０から医用情報処理装置３０に送信される（ステップＳ９）。
【００５１】
医用情報処理装置３０では、通信部３４を介してモダリティ４０からＤＩＣＯＭ画像ファイルが受信される。そして、制御部３１により、ＤＩＣＯＭ画像ファイルのヘッダ情報に、記憶部３６に記憶されている第１の文字情報が書き込まれる（ステップＳ１０）。
次に、制御部３１により、ヘッダ情報に第１の文字情報が書き込まれたＤＩＣＯＭ画像ファイルが通信部３４を介して画像サーバ５０に送信される（ステップＳ１１）。
【００５２】
画像サーバ５０では、ヘッダ情報に第１の文字情報が書き込まれたＤＩＣＯＭ画像ファイルが医用情報処理装置３０から受信され、保存される（ステップＳ１２）。
【００５３】
図５は、医用情報処理装置３０において実行される処理を示すフローチャートである。なお、この処理は、制御部３１と、ＲＯＭ３５に記憶されている医用情報処理プログラム３５１との協働によるソフトウェア処理によって実現される。
【００５４】
まず、制御部３１により、通信部３４を介してＲＩＳ２０からモダリティワークリストが取得される（ステップＳ２１）。取得されたモダリティワークリストは、制御部３１により、記憶部３６に記憶される。図６に、ＲＩＳ２０から取得された簡体字中国語で記述されたモダリティワークリスト７０の例を示す。
【００５５】
次に、制御部３１により、ＲＩＳ２０から取得されたモダリティワークリストから特定文字集合、ＡＥタイトル、患者ＩＤ及び検査インスタンスＵＩＤが取得される（ステップＳ２２）。特定文字集合はＤＩＣＯＭタグ（０００８，０００５）に記述されており、ＡＥタイトルはＤＩＣＯＭタグ（０００８，００５４）に記述されており、患者ＩＤはＤＩＣＯＭタグ（００１０，００２０）に記述されており、検査インスタンスＵＩＤはＤＩＣＯＭタグ（００２０，０００Ｄ）に記述されている。
【００５６】
図７に、ＤＩＣＯＭタグ（０００８，０００５）に記述される内容（ＩＳＯ＿ＩＲ  １００等）と、その意味する特定文字集合（ラテン１（西ヨーロッパ）等）との対応関係を示す。図６に示すモダリティワークリスト７０に含まれる特定文字集合７１は「ＧＢ１８０３０」であるから、このモダリティワークリスト７０は「簡体字中国語他」で記述されていることがわかる。
【００５７】
次に、制御部３１により、記憶部３６に記憶されている第１参照テーブル３６１が参照され、モダリティワークリストの特定文字集合に対応する抽出項目が読み出される。そして、制御部３１により、この抽出項目に従って、モダリティワークリストから、モダリティワークリストの特定文字集合に応じた第１の文字情報が抽出され、当該抽出された第１の文字情報が、モダリティワークリストに含まれる患者ＩＤ及び検査インスタンスＵＩＤと対応付けられて記憶部３６に一時的に記憶される（ステップＳ２３）。例えば、第１参照テーブル３６１において、モダリティワークリストの文字集合「ＧＢ１８０３０（簡体字中国語他）」に対して、抽出項目「患者名、患者コメント、検査記述」が対応付けられている場合、制御部３１により、図６に示すモダリティワークリスト７０から患者名７２、患者コメント７３、検査記述７４が抽出され、ステップＳ２２において抽出された患者ＩＤ７５及び検査インスタンスＵＩＤ７６と対応付けられて記憶部３６に記憶される。
【００５８】
次に、制御部３１により、記憶部３６に記憶されている第２参照テーブル３６２が参照され、ステップＳ２２において抽出されたＡＥタイトルに基づいて、モダリティ４０が対応可能な文字集合が取得される（ステップＳ２４）。例えば、第２参照テーブル３６２において、モダリティ４０のＡＥタイトル「ＣＲ１７５」に対して、モダリティ４０が対応可能な文字集合「空欄（英数字）」が取得される。
【００５９】
次に、制御部３１により、モダリティ４０が対応可能な文字集合に基づいて、モダリティワークリストからモダリティ４０が対応不可能な文字集合で記述された第２の文字情報が削除される（ステップＳ２５）。例えば、第２参照テーブル３６２において、モダリティ４０のＡＥタイトルに対して、対応可能な文字集合「空欄（英数字）」が対応付けられている場合、制御部３１により、モダリティワークリスト７０から患者名７２の漢字表記部分、患者コメント７３、検査記述７４、撮影条件７７のCode Meaning（コードの意味）７８が削除される。第２の文字情報が削除されたモダリティワークリスト（編集後のモダリティワークリスト）は、制御部３１により、記憶部３６に記憶される。
【００６０】
図８に、第２の文字情報が削除された後のモダリティワークリスト８０を示す。モダリティワークリスト８０において、特定文字集合８１は「空欄」に変更されており、患者名の漢字表記部分８２、患者コメント８３、検査記述８４、撮影条件８５のCode Meaning８６が削除されている（ｎｕｌｌ化）。なお、撮影条件８５において、Code Meaning８６が削除されても、Code Value（コード値）８７により、撮影条件の内容を伝えることができるため、モダリティ４０での撮影において問題は生じない。
【００６１】
次に、制御部３１により、通信部３４を介してモダリティ４０からモダリティワークリストの取得要求が受信されたか否かが判断される（ステップＳ２６）。モダリティワークリストの取得要求が受信された場合には（ステップＳ２６；ＹＥＳ）、制御部３１により、この取得要求に含まれるＡＥタイトルに対応する編集後のモダリティワークリストが記憶部３６から読み出され、通信部３４を介してモダリティ４０に送信される（ステップＳ２７）。
【００６２】
次に、制御部３１により、通信部３４を介してモダリティ４０からＤＩＣＯＭ画像ファイルが受信されたか否かが判断される（ステップＳ２８）。ＤＩＣＯＭ画像ファイルが受信された場合には（ステップＳ２８；ＹＥＳ）、制御部３１により、ＤＩＣＯＭ画像ファイルのヘッダ情報から患者ＩＤ及び検査インスタンスＵＩＤが読み出され、読み出された患者ＩＤ及び検査インスタンスＵＩＤと対応付けられて記憶部３６に記憶されている第１の文字情報が読み出される。そして、制御部３１により、読み出された第１の文字情報がＤＩＣＯＭ画像ファイルのヘッダ情報に書き込まれる（ステップＳ２９）。
次に、制御部３１により、ヘッダ情報に第１の文字情報が書き込まれたＤＩＣＯＭ画像ファイルが通信部３４を介して画像サーバ５０に送信される（ステップＳ３０）。
以上で、医用情報処理装置３０における処理が終了する。
【００６３】
以上説明したように、医用情報処理装置３０によれば、モダリティワークリスト（検査依頼情報）の文字集合に応じて第１の文字情報をモダリティワークリストから抽出して一時的に記憶させておき、モダリティ４０からＤＩＣＯＭ画像ファイル（医用画像ファイル）を受信した後に、ＤＩＣＯＭ画像ファイルのヘッダ情報に第１の文字情報を書き込むので、モダリティワークリストにもともと含まれていた文字情報が失われることがない。また、モダリティ４０が対応不可能な文字集合で記述された第２の文字情報をモダリティワークリストから削除した後に、モダリティ４０に送信するので、所定の文字集合（英数字等）で記述されたモダリティワークリストに限定されず、複数種類の文字集合で記述されたモダリティワークリストを利用することができる。したがって、文字集合が異なる装置間の連携を図ることができる。
【００６４】
画像サーバ５０では、モダリティワークリストに含まれていた文字情報（モダリティ４０が対応不可能な文字集合で記述された文字情報を含む。）がＤＩＣＯＭ画像ファイルのヘッダ情報に含まれた状態で保存されるので、参照端末６０から医用画像を参照する際に、所定の項目に制限されずに文字情報を参照することができる。
【００６５】
例えば、電子カルテシステム１０、ＲＩＳ２０、画像サーバ５０及び参照端末６０については、中国語が対応可能であり、モダリティ４０Ａ，４０Ｂ，４０Ｃについては、それぞれ、英語、欧州語、日本語が対応可能である場合、医用情報処理装置３０において、モダリティワークリストのうち、英数字以外の文字情報を含む可能性のある項目の文字情報を一時的に記憶させておき、モダリティ４０Ａ，４０Ｂ，４０Ｃから受信したＤＩＣＯＭ画像ファイルのヘッダ情報に、一時的に記憶させておいた文字情報を書き込むことができる。これにより、モダリティ４０Ａ，４０Ｂ，４０Ｃが対応可能な文字集合がいずれの文字集合であるかにかかわらず、医用画像システム１００内の各装置において文字集合が統一されている場合と同様に、文字情報を利用することができる。
【００６６】
なお、上記実施の形態における記述は、本発明に係る医用情報処理装置の例であり、これに限定されるものではない。装置を構成する各部の細部構成及び細部動作に関しても本発明の趣旨を逸脱することのない範囲で適宜変更可能である。
【００６７】
例えば、上記実施の形態では、医用画像システム１００において医用情報処理装置３０が独立した装置として存在する構成としたが、医用情報処理装置３０の機能が、ＲＩＳ２０又はモダリティ４０Ａ，４０Ｂ，４０Ｃに含まれることとしてもよい。
【００６８】
また、上記実施の形態では、ＲＩＳ２０から医用情報処理装置３０に対して、モダリティワークリストが自動的に送信される場合について説明したが、医用情報処理装置３０が、モダリティ４０Ａ，４０Ｂ，４０Ｃからの要求に応じて、ＲＩＳ２０にモダリティワークリストの取得要求を送信し、ＲＩＳ２０からモダリティワークリストを取得することとしてもよい。
【００６９】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００７０】
１０  電子カルテシステム
２０  ＲＩＳ
３０  医用情報処理装置
３１  制御部
３２  操作部
３３  表示部
３４  通信部
３５  ＲＯＭ
３６  記憶部
３７  バス
４０，４０Ａ，４０Ｂ，４０Ｃ  モダリティ
５０  画像サーバ
６０  参照端末
１００  医用画像システム
３５１  医用情報処理プログラム
３６１  第１参照テーブル
３６２  第２参照テーブル
Ｎ  通信ネットワーク
【図１】
2012185683.tif 000003
【図２】
2012185683.tif 000004
【図３】
2012185683.tif 000005
【図４】
2012185683.tif 000006
【図５】
2012185683.tif 000007
【図６】
2012185683.tif 000008
【図７】
2012185683.tif 000009
【図８】
2012185683.tif 000010